(57)【要約】【課題】  地震や機械振動等から加振力を受けても不具合が生じない対震ロック機構を提供する。【解決手段】  リトラクター及び室外側ハンドルに連結された駆動カム軸に第１外側駆動カムを同軸かつ一体的に結合し、この第１外側駆動カムの所定の角度位置に形成されたロック切欠に、電磁アクチュエータに連係されたた第１施解錠アーム６の先端に連結され、第１外側駆動カム４の半径方向に移動可能に案内されたロックピース１４の先端を係脱させることにより施解錠を行うようにしたロック機構において、施錠位置にあるロックピース１４の後端付近に配設され、一端がその移動軌跡と干渉する角度位置と、干渉しない角度位置との間を揺動可能に支承された衝止レバー１８を設け、この衝止レバー１８を、その一端１８ａがロックピースの移動軌跡から退避する方向に付勢する。【選択図】  図２
2005061199.tif 000002
【特許請求の範囲】
【請求項１】
リトラクター及び室外側ハンドルに連結された駆動カム軸に第１外側駆動カムを同軸かつ一体的に結合し、この第１外側駆動カムの所定の角度位置に形成されたロック切欠に、電磁アクチュエータに連係された第１施解錠アームの先端に連結され、第１外側駆動カムの半径方向に移動可能に案内されたロックピースの先端を係脱させることにより施解錠を行うようにしたロック機構において、施錠位置にあるロックピースの後端付近に配設され、一端がその移動軌跡と干渉する角度位置と、干渉しない角度位置との間を揺動可能に支承された衝止レバーを設け、この衝止レバーを、その一端がロックピースの移動軌跡から退避する方向に付勢したことを特徴とする対震ロック機構。
【請求項２】
リトラクター及び室外側ハンドルに連結された駆動カム軸に第１外側駆動カムを同軸かつ一体的に結合し、この第１外側駆動カムの所定の角度位置に形成されたロック切欠に、電磁アクチュエータに連係された第１施解錠アームの先端に連結され、第１外側駆動カムの半径方向に移動可能に案内されたロックピースの先端を係脱させることにより施解錠を行うようにしたロック機構において、リトラクターの一端に第一係合部を突設すると共に、この係合部の近傍に、第二係合部を形成し、この第二係合部がリトラクターの第一係合部の移動軌跡と干渉する角度位置と、干渉しない角度位置との間を揺動可能に支承されたストッパーを設け、このストッパーを、その第二係合部がリトラクター第一係合部の移動軌跡から退避する方向に付勢したことを特徴とする対震ロック機構。
【発明の詳細な説明】
【技術分野】
【０００１】
この発明は、対震ロック機構（以下単にロック機構という）に係り、特に、地震や機械振動等から加振力を受けても不具合が生じないロック機構に関する。
【背景技術】
【０００２】
本出願人は、先に、後記特許文献１を以て、作動モード切替が可能である新規な電気錠を提案した。
【０００３】
この電気錠は、同一の機構の電気錠の作動モードを、電気錠の使用目的に応じて通電時施錠型と通電時解錠型に切替えることができるものである。
【０００４】
この電気錠の構成は、後記特許文献１に詳細に記載されているから、ここでは図１を参照して簡単に説明すると、この電気錠は、錠箱１の側板２に図示しないハンドルに連結される駆動カム軸３を回動可能に支承し、この駆動カム軸３に第１及び外側駆動カム４、５を同軸かつ一体に結合してある。
【０００５】
そして、第１外側駆動カム４は室外側のハンドルに、第２駆動カム５は室内側のハンドルに夫々連係されている。
【０００６】
一方、夫々第１及び第２外側駆動カム４、５に対応する第１及び第２施解錠アーム６、７のＶ字形の作動カム８とソレノイド９のプランジャ１１とを相互に平行に配設し、これらの間に植設された揺動レバー軸１２に揺動レバー１３の中央部を回動可能に軸支し、その一端をプランジャ１１の先端にリンク結合すると共に、他端を作動カム８に係合可能に臨ませ、一方、ソレノイド９全体をプランジャ１１の伸縮量分移動可能に装着する。
【０００７】
ちなみに、マンションの共用玄関やビルの通用口には、防犯性を重視するため、停電時施錠できるように通電時解錠型の電気錠が装着され、建物やビルの非常口には、地震や火災により停電したとき電気錠が施錠されると、外に出ようとする人が閉じ込められて危険だから、通電時施錠型の電気錠が装着される。
【０００８】
なお、図１は作動モードが通電時施錠型に切替えられ、かつソレノイド９が通電されている状態を示す。
【０００９】
このときには、第１施解錠アーム６の先端に連結されたロックピース１４が案内孔１５に沿って駆動カム軸３方向に移動され、第１外側駆動カム４の付番しないロック切欠に係入しているので、室外側からハンドルを回してもハンドルはロックピース１４に衝止され、したがってデッドボルトを兼ねるラッチボルト１６を錠箱内に引込ませるリトラクター１７を動かすことができないので、この電気錠は施錠状態に保たれる。
【００１０】
後に明らかになるように、この発明は作動モードを切替えることができる電気錠のみに適用されるのではなく、要するに、ハンドルに連結される駆動カムに形成されたロック切欠にロックピースを係脱することにより施解錠を行うタイプの電気錠に適用されるものである。
【特許文献１】特願２０００−２４７７６５
【発明の開示】
【発明が解決しようとする課題】
【００１１】
上記のように構成された、ロック切欠にロックピースを係脱することにより施解錠を行うタイプの電気錠は、ロックピース１２、第１施解錠アーム６及び揺動レバー１３に致る駆動系を比較的非力なソレノイドにより駆動しなければならないので、ロック切欠に係入したロックピース１２を安定的に保つ機構を採り入れることができない。
【００１２】
そのため、施錠状態において地震が発生したり、或いは付近に機械等の振動源があり、上記施錠のための駆動系がこれに共振したりする可能性が無いとは言えず、この場合には比較的浅いロック切欠からロックピースが飛び出してしまう可能性がある。
【００１３】
このとき、振動によって第１外側駆動カム４も回動するから、ロックピース１４がロック切欠の開口付近に乗り上げ、この場合には振動によって電気錠が解錠されてしまう可能性がある。
【００１４】
勿論、現実にそのような不都合が生じたという訳ではないが、本発明者等が加振機等を用いての実験の結果、そのような傾向が見られることを確認した。
【００１５】
そこで、この発明の目的は、ロック切欠にロックピースを係脱することにより施解錠を行うタイプの電気錠において、地震や振動によって万が一にも解錠してしまうようなことが無いロック機構を提供し、以て上記した心配を無くして電気錠の安全性を更に向上させることを目的としている。
【課題を解決するための手段】
【００１６】
上記の目的を達成するため、請求項１に記載の発明は、リトラクター及び室外側ハンドルに連結された駆動カム軸に第１外側駆動カムを同軸かつ一体的に結合し、この第１外側駆動カムの所定の角度位置に形成されたロック切欠に、電磁アクチュエータに連係された第１施解錠アームの先端に連結され、第１外側駆動カムの半径方向に移動可能に案内されたロックピースの先端を係脱させることにより施解錠を行うようにしたロック機構において、施錠位置にあるロックピースの後端付近に配設され、一端がその移動軌跡と干渉する角度位置と、干渉しない角度位置との間を揺動可能に支承された衝止レバーを設け、この衝止レバーを、その一端がロックピースの移動軌跡から退避する方向に付勢したことを特徴とする。
【００１７】
また、請求項２に記載の発明は、リトラクター及び室外側ハンドルに連結された駆動カム軸に第１外側駆動カムを同軸かつ一体的に結合し、この第１外側駆動カムの所定の角度位置に形成されたロック切欠に、電磁アクチュエータに連係された第１施解錠アームの先端に連結され、第１外側駆動カムの半径方向に移動可能に案内されたロックピースの先端を係脱させることにより施解錠を行うようにしたロック機構において、リトラクターの一端に第一係合部を突設すると共に、この係合部の近傍に、第二係合部を形成し、この第二係合部がリトラクターの第一係合部の移動軌跡と干渉する角度位置と、干渉しない角度位置との間を揺動可能に支承されたストッパーを設け、このストッパーを、その第二係合部がリトラクター第一係合部の移動軌跡から退避する方向に付勢したことを特徴とする。
【発明の効果】
【００１８】
上記のように構成された請求項１に記載の発明によるロック機構は、地震や振動によって錠箱に加振力が加わると、そのロックピースの移動方向の分力がロックピースに印加されると共に、衝止レバーの重心に振動力が加わって、衝止レバーに回転モーメントが印加される。
【００１９】
これら加振力及び回転モーメントに起因してロックピースがロック切欠から抜け出る方向に付勢されると共に、衝止レバーも振動するが、衝止レバーの慣性モーメントが小さくまた付勢力が大きいので、衝止レバーの固有振動数はロックピース駆動系のそれと比較して格段に大きい。
【００２０】
そのため、ロックピースの移動に先回りする態様で衝止レバーの一端がロックピースの移動軌跡内に入り込み、切欠から抜け出ようとする方向に移動するロックピースの後端と干渉してこれを衝止するので、地震や振動によってロック機構が解錠されてしまうことを防止することができる。
【００２１】
また、請求項２に記載の発明によるロック機構は、仮にロックピースがロック切欠から抜けてロック機構が解錠されてしまっても、ストッパーが上記衝止レバーと同様に作用し、ストッパーの第二係合部がリトラクターの第一係合部と干渉してこれを係止するので、ハンドルを回すことができずそのため扉を開けることができない。
【発明を実施するための最良の形態】
【００２２】
請求項１に記載の発明は、地震や振動によってロック機構が解錠されてしまうことを防止するという目的を、施錠状態にあるロックピースの後端付近に衝止レバーを設け、これをロックピースの移動軌跡から退避する方向に付勢する、という簡単な構成により実現した。
【００２３】
また、請求項２に記載の発明は、ロック機構が解錠されてしまってもリトラクターをストッパーにより係止する、という目的を、請求項１の発明と同様の簡単な構成により実現した。
【実施例１】
【００２４】
図２において符号１８は衝止レバーを示し、この衝止レバー１８は、施錠位置にあるロックピース１４の後端付近に配設され、一端１８ａがその移動軌跡と干渉する角度位置と、干渉しない角度位置（図２に示す角度位置）との間を揺動可能に支承されている。
【００２５】
図示の実施例における衝止レバー１８は、錠箱の側板２に対する投影形状が略コ字形のレバーで、その一端１８ａに対向する自由端は２重に折り曲げられ、以て重心を支軸１９から遠ざけて衝止レバーの慣性モーメントを大きくし、振動し易くなっている。
【００２６】
また、支軸１９に巻装された捩りコイルばねとしての付勢ばね２１の弾力により、衝止レバー１８は図２で時計方向に付勢されており、付勢ばね２１に外力が印加されない常態においては、その一端がロックピース１４の移動軌跡から退避する位置にある。
【００２７】
上記のように構成された請求項１に記載の発明の一実施例によるロック機構は、錠前に振動力が加わったときには、衝止レバー１８が振動してその一端がロックピース１４の後端を衝止する位置に先回りするように移動し、以てロックピースがロック切欠から抜け出ることを防止する。
【００２８】
錠前に振動力が加わらない常態においては、衝止レバー１８はロックピースの移動軌跡から退避する位置にあるから、錠前の作動に何等干渉しない。
【００２９】
なお、室内側のハンドルに連係された第２外側駆動カムについては、地震等によってロックピース１４がロック切欠から抜け出て電気錠が解錠されても、錠前の安全性には悪影響が無いので、この発明を適用する必要はない。
【実施例２】
【００３０】
図３において符号２１は第一係合部を示し、この第一係合部２１は、リトラクター１７の一端、すなわち図３においては下端に形成されたアーム部の先端、を手前側に折曲して形成されている。
【００３１】
そして、この第一係合部２１は、駆動カム軸３に連結された室外側の図示しないハンドルを回すことにより、第１外側駆動カム４に押動されてリトラクター１７と一体に時計方向に回動する。
【００３２】
一方、この第一係合部２１とロックピースの案内孔１５との間にスペースに、側面に第二係合部２２を形成したストッパー２３が配設されており、このストッパー２３はその一端をストッパー軸２４によって回動自在に支承されている。
【００３３】
図示の実施例におけるストッパー２３は、板材を断面コ字形に折曲した部材で、その相互に平行な部分を錠箱の側板２と平行にして、ここにＶ字形の切欠を形成する、という態様で上記第二係合部２２を形成している。
【００３４】
なお、図３では２個の切欠が重なっているので一つの切欠しか描かれておらず、また、これらの切欠を形成した一対の平行板部はリトラクターの前記第一係合部と干渉するエレベーションにある。
【００３５】
また、このストッパー２３は、ストッパー軸２４に巻装された捩りばねとしてのストッパーばね２５の弾力により、図３で時計方向に付勢されているが、このストッパー２３に加振力が作用しない常態においては、係止ピン２６に係止されて第二係合部２２が第一係合部２１と干渉しない図示の角度位置を保つ。
【００３６】
上記のように構成された請求項２に記載の発明によるロック機構は、錠前に振動力が加わったときには、ストッパー２３が振動してその第二係合部２２がリトラクターの第一係合部２１と干渉する位置に先回りするように移動する。
【００３７】
そのため、例え振動によってロック機構が解錠され、ハンドルを回すことが可能になったとしても、そのハンドルと一体的に回動するリトラクターを衝止してハンドルの回動を不能にする。
【００３８】
錠前に振動力が加わらない常態においては、ストッパーの第２係合部２２はリトラクター１７の第一係合部２１の移動軌跡から退避する位置にあるから、錠前の作動に何等干渉しない。
【図面の簡単な説明】
【００３９】
【図１】一部を断面にして示す電気錠の側面図。
【図２】請求項１に記載の発明による対震ロック機構の要部の側面図。
【図３】請求項２に記載の発明による対震ロック機構の要部の側面図。
【符号の説明】
【００４０】
１  錠箱
２  側板
３  駆動カム軸
４  第１外側駆動カム
５  第２外側駆動カム
６  第１施解錠アーム
７  第２施解錠アーム
８  作動カム
９  ソレノイド
１１  プランジャ
１２  揺動レバー軸
１３  揺動レバー
１４  ロックピース
１５  案内孔
１６  ラッチボルト
１７  リトラクター
１８  衝止レバー
１８ａ  一端
１９  支軸
２１  第一係合部
２２  第二係合部
２３  ストッパー
２４  ストッパー軸
２５  ストッパーばね
２６  係止ピン
【図１】
2005061199.tif 000003
【図２】
2005061199.tif 000004
【図３】
2005061199.tif 000005